(57)【要約】【課題】使用者が、自分の体重を利用して、椅子から容易に立ち上がることができる立ち上がり補助椅子を提供すること。【解決手段】立ち上がり補助椅子１は、着座した使用者が立ち上がるのを補助する立ち上がり補助椅子であって、床１００から立設する脚部５と、前端近傍が脚部５に回動自在に軸支され、上方に離間可能に後端近傍が脚部５に支持される着座部３０と、前端が着座部３０の前端下方と床１００との間に設置され、後方側上方に延び、中央部分において脚部５に回動自在に軸支され、後端が着座部３０の下面において、着座部３０と前後方向にスライド自在に係合する補助部４０と、を備える。【選択図】図１
0003181234.tif 000002
【実用新案登録請求の範囲】
【請求項１】
着座した使用者が立ち上がるのを補助する立ち上がり補助椅子であって、
床から立設する脚部と、
前端近傍が前記脚部に回動自在に軸支され、上方に離間可能に後端近傍が前記脚部に支持される着座部と、
前端が前記着座部の前端下方と床との間に設置され、後方側上方に延び、中央部分において前記脚部に回動自在に軸支され、後端が前記着座部の下面において、前記着座部と前後方向にスライド自在に係合する補助部と、を備える立ち上がり補助椅子。
【請求項２】
前記脚部は、
前端が床に設置され、後方側上方に延び、前記着座部の後端側を支持し、前記補助部を回動自在に軸支する前脚部と、
前記前脚部に回動自在に連結され、後端が床に設置され、前方側上方に延び、前端において、着座部の前端近傍を回動自在に軸支する後脚部と、を備え、
前記補助部は、前記着座部との係合が解除可能である請求項１に記載の立ち上がり補助椅子。
【考案の詳細な説明】
【技術分野】
【０００１】
本考案は、立ち上がり補助椅子に関し、詳しくは、着座した使用者が立ち上がるのを補助する立ち上がり補助椅子に関する。
【背景技術】
【０００２】
脚力が弱まった、例えば、高齢者等は、椅子から立ち上がるのが困難になる場合がある。
このような高齢者等のために、例えば、特許文献１には、レバーでカム軸を駆動する一方向性クラッチを装着し、椅子の座部底部を偏心カムで上下させる椅子が開示されている。
特許文献１の椅子によれば、椅子に座った人がレバーを手で漕ぐように操作すれば、椅子の座部が前傾回転する方向に持ち上がり、立ち上がりが容易になる。
【先行技術文献】
【特許文献】
【０００３】
【特許文献１】特開平１１−１２３２１３号公報
【考案の概要】
【考案が解決しようとする課題】
【０００４】
しかしながら、例えば、高齢者等は、脚力のみでなく、腕力も弱まっている場合も多く、レバーで自分の体重を持ち上げることが困難な場合がある。
【０００５】
本考案は、使用者が、自分の体重を利用して、椅子から容易に立ち上がることができる立ち上がり補助椅子を提供することを目的とする。
【課題を解決するための手段】
【０００６】
（１）  着座した使用者が立ち上がるのを補助する立ち上がり補助椅子であって、床から立設する脚部と、前端近傍が前記脚部に回動自在に軸支され、上方に離間可能に後端近傍が前記脚部に支持される着座部と、前端が前記着座部の前端下方と床との間に設置され、後方側上方に延び、中央部分において前記脚部に回動自在に軸支され、後端が前記着座部の下面において、前記着座部と前後方向にスライド自在に係合する補助部と、を備える立ち上がり補助椅子。
【０００７】
（１）の構成によれば、脚部は、床から立設する。
着座部は、前端近傍が脚部に回動自在に軸支され、上方に離間可能に後端近傍が脚部に支持される。
補助部は、前端が着座部の前端下方と床との間に設置され、後方側上方に延び、中央部分において脚部に回動自在に軸支され、後端が着座部の下面において、着座部と前後方向にスライド自在に係合する。
【０００８】
これにより、立ち上がり補助椅子は、以下のように動作する。
まず、立ち上がり補助椅子に座っている使用者は、まず、補助部の前端に、足を乗せ、前屈みになる。これにより、補助部に使用者の体重が掛かる。
すると、補助部が、脚部に回動自在に軸支されている点を中心として、回動する。
これにより、補助部の後端が回動して、着座部を押し上げながら、着座部の後側から前側に移動する。
すると、着座部が、前端近傍において、脚部に軸支された点を中心として、回動する。
これにより、着座部本体及び着座板が、後側が上方に移動することで、使用者の臀部を上方に持ち上げる。
【０００９】
したがって、使用者が、自分の体重を利用して、椅子から容易に立ち上がることができる立ち上がり補助椅子を提供できる。
【００１０】
（２）  前記脚部は、前端が前記床に設置され、後方側上方に延び、前記着座部の後端側を支持し、前記補助部を回動自在に軸支する前脚部と、前記前脚部に回動自在に連結され、後端が前記床に設置され、前方側上方に延び、前端において、前記着座部の前端近傍を回動自在に軸支する後脚部と、を備え、前記補助部は、前記着座部との係合が解除可能である（１）に記載の立ち上がり補助椅子。
【００１１】
（２）の構成によれば、脚部は、前脚部と、後脚部と、を備える。
前脚部は、前端が床に設置され、後方側上方に延び、着座部の後端側を支持し、補助部を回動自在に軸支する。
後脚部は、前脚部に回動自在に連結され、後端が床に設置され、前方側上方に延び、前端において、着座部の前端近傍を回動自在に軸支する。
補助部は、着座部との係合が解除可能である。
【００１２】
これにより、使用者は、以下の手順で、立ち上がり補助椅子を折りたたむことができる。
まず、使用者は、補助部と着座部との係合を解除する。
そして、着座部を後脚部との角度が１８０度近傍になるまで回動させる。
次に、前脚部に対し後脚部を回動させ、後脚部の端部と前脚部の端部とを近接させる。
したがって、使用者が、自分の体重を利用して、椅子から容易に立ち上がることができ、折りたたむことができる立ち上がり補助椅子を提供できる。
【考案の効果】
【００１３】
本考案によれば、使用者が、自分の体重を利用して、椅子から容易に立ち上がることができる立ち上がり補助椅子を提供する。
【図面の簡単な説明】
【００１４】
【図１】本考案の第１実施形態に係る立ち上がり補助椅子の側面図である。
【図２】本考案の第１実施形態に係る立ち上がり補助椅子の正面図である。
【図３】本考案の第１実施形態に係る立ち上がり補助椅子の部分断面図である。
【図４】本考案の第１実施形態に係る立ち上がり補助椅子の部分断面図である。
【図５】本考案の第２実施形態に係る立ち上がり補助椅子の側面図である。
【図６】本考案の第２実施形態に係る立ち上がり補助椅子の部分断面図である。
【図７】本考案の第２実施形態に係る立ち上がり補助椅子の部分断面図である。
【図８】本考案の第２実施形態に係る立ち上がり補助椅子の側面図である。
【図９】本考案の第２実施形態に係る立ち上がり補助椅子の側面図である。
【考案を実施するための形態】
【００１５】
〈第１実施形態〉
本考案の第１実施形態に係る立ち上がり補助椅子１について説明する。なお、以下の説明において、同一の構成には同一の符号を付し、その説明を省略又は簡略化する。
本考案の第１実施形態に係る立ち上がり補助椅子１の構成を図面に基づいて説明する。
図１は、本考案の第１実施形態に係る立ち上がり補助椅子１の側面図である。
図２は、本考案の第１実施形態に係る立ち上がり補助椅子１の正面図である。
立ち上がり補助椅子１は、着座した使用者が立ち上がるのを補助する。
立ち上がり補助椅子１は、脚部５と、着座部３０と、補助部４０と、を備える。
【００１６】
脚部５は、床１００から立設し、前脚部１０と、後脚部２０と、を備える。
前脚部１０は、前端が床１００に設置され、後方側上方に延び、着座部３０の後端側を支持し、補助部４０を回動自在に軸支する。
前脚部１０は、一対の前脚軸部材１１と、水平部材１２と、着座部支持部材１３と、前脚補強部材１４と、背もたれ部１５と、を備える。
【００１７】
一対の前脚軸部材１１は、前端が床に設置され、後方側上方に延びる。
水平部材１２は、床１００と着座部３０との間において、左右方向に延びて一対の前脚軸部材１１を互いに連結する。
【００１８】
着座部支持部材１３は、左右方向に延びて一対の前脚軸部材１１を互いに連結し着座部３０の後端側を支持する。
前脚補強部材１４は、左右方向に延びて一対の前脚軸部材１１を互いに連結する。
【００１９】
背もたれ部１５は、着座部３０より上方において、左右方向に延びて一対の前脚軸部材１１を互いに連結する。
背もたれ部１５は、着座部３０に着座した使用者の背中を支える。
【００２０】
後脚部２０は、前脚部１０に連結され、後端が床１００に設置され、前方側上方に延び、前端において、着座部３０の前端近傍を回動自在に軸支する。
後脚部２０は、一対の後脚軸部材２１と、後脚補強部材２２と、を備える。
【００２１】
一対の後脚軸部材２１は、後端が床１００に設置され、前方側上方に延び、前端において、着座部３０の前端近傍を回動自在に軸支する。
後脚補強部材２２は、左右方向に延びて一対の後脚軸部を互いに連結する。
【００２２】
着座部３０は、使用者が着座する。
着座部３０は、前端近傍が後脚部２０に回動自在に軸支され、上方に離間可能に後端近傍が前脚部１０に支持される。
図３は、本考案の第１実施形態に係る立ち上がり補助椅子１の部分断面図である。図３は、着座部３０が前脚部１０に支持されている状態を示している。
【００２３】
着座部３０は、着座板３１と、着座部本体３２と、一対のガイド部３３と、一対の補助部係合部３４と、を備える。
【００２４】
着座板３１は、板状に形成されている。また、着座板３１は、上面にクッションが設けられている。なお、着座板３１は、臀部の形状に沿うように、例えば、下方に向けて僅かに湾曲させてもよい。
着座板３１は、前側から使用者が着座する。
【００２５】
着座部本体３２は、着座板３１を下面から支持し、前端近傍が後脚部２０の一対の後脚軸部材２１に回動自在に軸支され、上方に離間可能に、後端近傍が前脚部１０の着座部支持部材１３により支持される。また、着座部本体３２は、前脚部１０の着座部支持部材１３と後端近傍が弾性部材３５により連結されている。これにより、着座部本体３２は、前脚部１０の着座部支持部材１３から離れると、弾性部材３５により戻す方向に付勢される。
【００２６】
一対のガイド部３３は、着座部本体３２に固定され、前後方向に延びる。
一対のガイド部３３は、夫々、一対の補助部係合部３４のスライド移動を案内する。
【００２７】
一対の補助部係合部３４は、夫々一対のガイド部３３とスライド自在に係合し、補助部４０が連結される。
【００２８】
補助部４０は、前端が着座部３０の前端下方と床１００との間に設置され、後方側上方に延び、中央部分において前脚部１０に回動自在に軸支され、後端が着座部３０の下面において、着座部３０と前後方向にスライド自在に係合する。
補助部４０は、一対の補助軸部材４１と、足乗せ部材４２と、一対の着座部係合部４３と、を備える。
【００２９】
一対の補助軸部材４１は、夫々、その前端が、着座部３０の前端下方と床１００との間に設置され、後方側上方に延び、中央部分において前脚部１０の水平部材１２に回動自在に軸支されている。
一対の補助軸部材４１は、前脚部１０の水平部材１２に軸支されている点において、前側に屈曲し、側面視でくの字形状に形成されている。
【００３０】
足乗せ部材４２は、左右方向に延びて一対の補助軸部材４１の前端近傍を互いに連結する。
【００３１】
一対の着座部係合部４３は、夫々、一対の補助軸部材４１の後端近傍に設けられ、着座部３０の一対の補助部係合部３４と回動自在に係合する。
【００３２】
次に、本考案の第１実施形態に係る立ち上がり補助椅子１の動作について、図３及び図４を参照して説明する。
図４は、本考案の第１実施形態に係る立ち上がり補助椅子１の部分断面図である。図４は、着座部３０が前脚部１０から離間した状態を示している。
【００３３】
使用者が座っているときにおいて、立ち上がり補助椅子１は、図３に示す状態である。
そして、立ち上がり補助椅子１に座っている使用者は立ち上がるときに、まず、補助部４０の足乗せ部材４２に、足を乗せ、前屈みになる。これにより、足乗せ部材４２に使用者の体重が掛かる。
すると、一対の補助軸部材４１が、前脚部１０の水平部材１２に回動自在に軸支されている点を中心として、回動する。
これにより、図４に示すように、一対の着座部係合部４３と係合する着座部３０の一対の補助部係合部３４が、回動しながら、一対のガイド部３３に案内されて、着座部本体３２の後側から前側に移動する。
すると、着座部本体３２及び着座板３１が、前端近傍において、一対の後脚軸部材２１に軸支された点を中心として、回動する。
これにより、着座部本体３２及び着座板３１が、後側が上方に移動することで、使用者の臀部を上方に持ち上げる。
【００３４】
したがって、使用者が、自分の体重を利用して、椅子から容易に立ち上がることができる立ち上がり補助椅子を提供できる。
【００３５】
〈第２実施形態〉
本考案の第２実施形態に係る立ち上がり補助椅子１Ａについて説明する。
図５は、本考案の第２実施形態に係る立ち上がり補助椅子１Ａの側面図である。
第２実施形態に係る立ち上がり補助椅子１Ａは、折りたたみ可能であり、後脚部２０Ａが前脚部１０Ａに回動自在に連結されている点及び補助部４０Ａと着座部３０Ａとの係合が解除可能である点が第１実施形態に係る立ち上がり補助椅子１と異なる。
また、立ち上がり補助椅子１Ａは、更に、前脚部１０Ａと後脚部２０Ａとの角度を規制する一対の規制部５０を備える。
【００３６】
前脚部１０Ａは、一対の前脚軸部材１１と、水平部材１２と、着座部支持部材１３と、前脚補強部材１４（図２参照）と、背もたれ部１５と、補助部軸支部材１６と、を備える。
補助部軸支部材１６は、一対の前脚軸部材１１から側面視で斜め上方に夫々突出し、この夫々突出した部分の先端から左右方向に延びて、補助部４０Ａを回動自在に軸支する。これにより、補助部４０Ａの回動中心を水平部材１２より前側にできるので、水平部材１２で補助部４０を軸支する場合に比べて、着座部３０Ａの後側をより高く持ち上げることができる。
【００３７】
後脚部２０Ａは、一対の後脚軸部材２１Ａと、後脚補強部材２２（図２参照）と、を備える。
一対の後脚軸部材２１Ａは、水平部材１２に回動自在に軸支されている。
【００３８】
図６は、本考案の第２実施形態に係る立ち上がり補助椅子１Ａの部分断面図である。図６は、着座部３０Ａが前脚部１０Ａに支持されている状態を示している。
着座部３０Ａは、着座板３１と、着座部本体３２と、一対のガイド部３３と、一対の補助部係合部３４Ａと、を備える。
一対の補助部係合部３４は、夫々一対のガイド部３３とスライド自在に係合する。
また、一対の補助部係合部３４Ａは、後端縁において後側に開口する、欠き込み３４１が形成されている。一対の補助部係合部３４Ａは、欠き込み３４１に後述する補助部４０Ａの着座部係合部４３Ａが挿入されて、補助部４０Ａと係合し、欠き込み３４１から着座部係合部４３Ａが抜き出されることで、補助部４０Ａとの係合が解除される。
【００３９】
また、一対の補助部係合部３４Ａの後端は、着座部本体３２の後端と弾性部材３５により連結されている。これにより、一対の補助部係合部３４Ａは、前側にスライドすると、弾性部材３５により戻す方向に付勢される。
【００４０】
補助部４０Ａは、一対の補助軸部材４１Ａと、足乗せ部材４２と、一対の着座部係合部４３Ａと、を備える。
一対の補助軸部材４１Ａは、夫々、その前端が、着座部３０Ａの前端下方と床１００との間に設置され、後方側上方に延び、中央部分において前脚部１０Ａの補助部軸支部材１６に回動自在に軸支されている。
一対の補助軸部材４１Ａは、前脚部１０Ａの補助部軸支部材１６に軸支されている点において、前側に屈曲し、側面視でくの字形状に形成されている。
【００４１】
一対の着座部係合部４３Ａは、着座部３０Ａにおける一対の補助部係合部３４Ａの欠き込み３４１に挿入又は抜き出される突起形状に形成されている。
【００４２】
一対の規制部５０は、夫々、第１部材５１と、第１部材５１と回動自在に連結する第２部材５２と、を備える。
第１部材５１は、後端が後脚部２０Ａと回動自在に連結され、前端が第２部材５２の後端と回動自在に連結されている。
第２部材５２は、前端が前脚部１０Ａと回動自在に連結され、後端が第１部材５１の前端と回動自在に連結されている。また、第２部材５２は、立ち上がり補助椅子１Ａが着座可能な状態のときに、第１部材５１の前端近傍の上縁と当接し、第１部材５１と第２部材５２の角度を１８０度に規制する当接部材５２１を備える。
第１部材５１が当接部材５２１に当接することで、第１部材５１と第２部材５２との角度が１８０度に規制され、前脚部１０Ａと後脚部２０Ａとがこれ以上開かなくなる。
【００４３】
次に、本考案の第２実施形態に係る立ち上がり補助椅子１Ａの動作について、図６及び図７を参照して説明する。
図７は、本考案の第２実施形態に係る立ち上がり補助椅子１Ａの部分断面図である。図７は、着座部３０Ａが前脚部１０Ａから離間した状態を示している。
【００４４】
使用者が座っているときにおいて、立ち上がり補助椅子１Ａは、図６に示す状態である。
そして、立ち上がり補助椅子１Ａに座っている使用者は立ち上がるときに、まず、補助部４０Ａの足乗せ部材４２に、足を乗せ、前屈みになる。これにより、足乗せ部材４２に使用者の体重が掛かる。
すると、一対の補助軸部材４１Ａが、前脚部１０Ａの補助部軸支部材１６に回動自在に軸支されている点を中心として、回動する。
これにより、図７に示すように、一対の着座部係合部４３Ａと係合する着座部３０Ａの一対の補助部係合部３４Ａが、回動しながら、一対のガイド部３３に案内されて、着座部本体３２の後側から前側に移動する。
すると、着座部本体３２及び着座板３１が、前端近傍において、一対の後脚軸部材２１Ａに軸支された点を中心として、回動する。
これにより、着座部本体３２及び着座板３１が、後側が上方に移動することで、使用者の臀部を上方に持ち上げる。
【００４５】
次に、本考案の第２実施形態に係る立ち上がり補助椅子１Ａを折りたたむ手順について、図８及び図９を参照して説明する。
図８及び図９は、本考案の第２実施形態に係る立ち上がり補助椅子１Ａの側面図である。
立ち上がり補助椅子１Ａを折りたたむときは、まず、図８に示すように、補助部係合部３４Ａの欠き込み３４１と、補助部４０Ａの着座部係合部４３Ａとの係合を解除する。
そして、図９に示すように、着座部３０Ａを後脚部２０Ａとの角度が１８０度近傍になるまで回動させる。
次に、前脚部１０Ａに対し後脚部２０Ａを回動させ、後脚部２０Ａの端部と前脚部１０Ａの端部とを近接させる。
したがって、使用者が、自分の体重を利用して、椅子から容易に立ち上がることができ、折りたたむことができる立ち上がり補助椅子を提供できる。
【００４６】
なお、本考案は前記実施形態に限定されるものではなく、本考案の目的を達成できる範囲での変形、改良等は本考案に含まれるものである。
【符号の説明】
【００４７】
１，１Ａ  立ち上がり補助椅子
５    脚部
３０，３０Ａ  着座部
４０，４０Ａ  補助部
【図１】
0003181234.tif 000003
【図２】
0003181234.tif 000004
【図３】
0003181234.tif 000005
【図４】
0003181234.tif 000006
【図５】
0003181234.tif 000007
【図６】
0003181234.tif 000008
【図７】
0003181234.tif 000009
【図８】
0003181234.tif 000010
【図９】
0003181234.tif 000011